(57)【要約】  本発明は、嵩高の製品、例えば粉末製品の貯蔵及び流通のための包装構造体（１）に関し、該包装構造体は、（ｉ）上部（５）が上部開口部（６）を定める容器本体（３）と、（ｉｉ）金属製取付けリング（８）と上部開口部（６）を閉じるための剥離可能板状体（９）とを伴う蓋構造体（７）とを含む筐体形態の金属容器（２）と、被包装製品の一部の取り出し及び分配のための付属品（１１）と、を含む。本発明によれば、包装構造体（１）は、付属品（１１）を金属製取付けリング（８）に取り外し可能に取り付けるための手段（１４、５）を含む。【選択図】  図１
2016527153.tif 000002
【特許請求の範囲】
【請求項１】
嵩高の製品、例えば粉末製品の貯蔵及び流通のための包装構造体であって、前記包装構造体（１）は、
−（ｉ）下部（４）と上部（５）とが設けられ、前記上部（５）が上部開口部（６）を画定する、金属容器本体（３）と、（ｉｉ）前記上部開口部（６）をシールするための蓋構造体（７）とを含む筐体形態の容器（２）、及び
−前記被包装製品の一部の収集及び分配のための付属品（１１）
を備え、
前記蓋構造体（７）は、
（ｉ）前記上部開口部（６）を画定する前記容器本体（３）の縁部上に固定されるように構成された外側部分（１６）と、前記本体開口部（６）に延びるように意図された環状フランジ（１８）が設けられた内側部分（１７）を含む金属製取付けリング（８）であって、前記内側部分（１７）は、被包装製品へのアクセス開口部（２２）を画定する内側縁部（２１）を含む、金属製取付けリング（８）と、
（ｉｉ）前記環状フランジ（１８）に分離可能な方式で気密に固定された剥離可能板状体（９）であり、前記被包装製品への前記アクセス開口部（２２）のためのシール部材（９）と、
（ｉｉｉ）前記被包装製品への前記アクセス開口部（２２）をシールするために、前記取付けリング（８）及びその関連付けられたシール部材（９）の上方にて前記容器本体（３）の上縁部の上に配置されることが意図された、取り外し可能なオーバーキャップ（１０）と、
を備えている包装構造体において、
前記包装構造体（１）が、前記金属製取付けリング（８）に対する前記付属品（１１）の取り外し可能な組み込みを行うための手段（１４、１５、２８）を含むことを特徴とする、包装構造体。
【請求項２】
前記取付けリング（８）の前記環状フランジ（１８）が、内側へ向かってプレート（１９）に続いており、前記プレート（１９）は、円弧形状であり、前記被包装製品への前記アクセス開口部（２２）の一部を画定する内側縁部（２０）が設けられ、前記プレート（１９）は、前記環状フランジ（１８）の平面内に又は実質的に該平面内に延びることを特徴とする、請求項１に記載の包装構造体。
【請求項３】
前記製品の収集及び分配のための前記付属品（１１）が、柄（１３）を含み、その一端に、前記製品の収集及び分配のための機能構造部分（１２）が配置されることを特徴とする、請求項１又は請求項２のいずれかに記載の包装構造体。
【請求項４】
前記製品の収集及び分配のための前記付属品（１１）が、カップ形機能構造部分（１２）が設けられた計量スプーンであることを特徴とする、請求項３に記載の包装構造体。
【請求項５】
前記取り外し可能な組み込み手段が、前記付属品（１１）の前記機能構造部分（１２）又は前記柄（１３）を受け入れるように構成された、前記取付けリング（８）に形成された少なくとも１つの開口（１５）を含むことを特徴とする、組み合わされた請求項２及び請求項３に記載の包装構造体。
【請求項６】
前記開口（１５）が、前記取付けリング（８）の前記環状フランジ（１８）に続く前記プレート（１９）に形成されることを特徴とする、請求項５に記載の包装構造体。
【請求項７】
前記プレート（１９）が、前記付属品（１１）の前記カップ形機能構造部分（１２）をはめ込むことにより受け入れるようになっている、閉じた輪郭の又は前記内側縁部（２０）に出現した開口（１５）を含むことを特徴とする、組み合わされた請求項４及び請求項６に記載の包装構造体。
【請求項８】
前記プレート（１９）が、前記付属品（１１）の前記柄（１３）を受け入れるようになった少なくとも１つの開口（１５）を含むことを特徴とする、組み合わされた請求項４及び請求項６に記載の包装構造体。
【請求項９】
前記開口（１５）が前記プレート（１９）を貫通し、その軸線が前記プレート（１９）の平面に対して垂直に又は実質的に垂直に延びることを特徴とする、請求項８に記載の包装構造体。
【請求項１０】
前記開口（１５）が、前記プレート（１９）の切込み／又は折曲げ部分（２７）内に又は該部分（２７）によって形成され、その軸線がこのプレート（１９）の平面に対して平行に又は実質的に平行に延びるようになっていることを特徴とする、請求項８に記載の包装構造体。
【請求項１１】
前記プレート（１９）が、前記容器本体（３）の前記下部（４）の側に向かって、前記内側縁部（２０）に現れた、後方起立平面領域（２６）を含み、前記後方起立平面領域（２６）に前記開口（１５）が形成されることを特徴とする、請求項６〜１０のいずれかに記載の包装構造体。
【請求項１２】
前記付属品（１１）が、取り外し可能な組み込みのために、該付属品（１１）を前記蓋構造体（７）に形成された少なくとも１つの開口（１５）に吊り下げることを可能にするように配置された吊下げ構造体（１４）を含むことを特徴とする、請求項１〜１１のいずれかに記載の包装構造体。
【請求項１３】
前記吊下げ構造体（１４）が、前記付属品（１１）の前記柄（１３）の、前記機能構造部分（１２）の反対側に位置する自由端（１３’）に形成されることを特徴とする、組み合わされた請求項３及び請求項１２に記載の包装構造体。
【請求項１４】
前記付属品（１１）が、前記被包装製品への前記アクセス開口部（２２）を画定する前記内側縁部（２１）に該付属品（１１）を吊り下げることを可能にするように配置された吊下げ構造体（２８）を含むことを特徴とする、請求項１に記載の包装構造体。
【請求項１５】
前記付属品（１１）が、前記取付けリング（８）の前記環状フランジ（１８）に続く前記プレート（１９）の前記内側縁部（２０）に該付属品（１１）を吊り下げることを可能にするように配置された吊下げ構造体（２８）を含むことを特徴とする、組み合わされた請求項２及び請求項１４に記載の包装構造体。
【請求項１６】
前記吊下げ構造体（２８）が、前記被包装製品への前記アクセス開口部（２２）を画定する前記内側縁部（２１）に対する係合ノッチ（３１）を互いの間に画定する、２つのアーム（２９、３０）の形態であることを特徴とする、請求項１４又は１５のいずれかに記載の包装構造体。
【発明の詳細な説明】
【技術分野】
【０００１】
本発明は、一般に包装分野に関する。より具体的には、嵩高の製品、例えば乳児用ミルク粉末又は粉末コーヒーのような粉末製品の貯蔵及び流通のための包装構造体に関する。
【背景技術】
【０００２】
いくつかの製品、特に粉状製品、例えば乳児用粉末ミルクは、円筒形金属本体で形成された金属筐体内に包装され、該円筒形金属本体は、下部に底部構造体が設けられ、上部は蓋構造体で密封された開口部を含む。
【０００３】
特許文献１、特許文献２、又は特許文献３に示すように、従来、この蓋構造体は、剥離可能な板状体の形態又は切り込み線で画定された一体形閉塞部の形態の中央シール部材に関連付けられた、金属製取付けリングを含む。
場合によっては、プラスチック製オーバーキャップが、取り外し可能にユニットを覆っていてもよい。
【０００４】
取付けリングの外側部分は、円筒形筐体本体の上部開口部を画定する縁部に、例えばシーミングにより固定される。その内側部分は、平面の環状フランジを含み、その内側縁部は、被包装製品へのアクセスのための開口部を画定し、その上部の上に剥離可能板状体が固定されるか、又はその続きが一体形閉塞部に延びる。
【０００５】
剥離可能板状体に一体のプルタブが設けられ、又は一体形閉塞部に付加されたプルリングが設けられ、最初に筐体を開ける際に、簡単な引っ張り動作により、環状フランジからのそれらの脱離を可能にする。
【０００６】
場合によっては、この環状フランジは、内側へ向かって、円板の一部の形状の一体形プレートに続くことがあり、その内側の直線状縁部は、被包装製品へのアクセス開口部の一部を画定する。
【０００７】
オーバーキャップは、包装構造体を最初に開けた後（すなわち、剥離可能板状体又は一体形閉塞部が除去された後）、この製品へアクセス開口部を取り外し可能に閉じる役割を果たす。
【０００８】
場合によっては、特に被包装製品が乳児用粉末ミルクである場合には、この包装構造体は、ある量の製品を収集するために、柄に続く収集カップが設けられた計量スプーン形態の付属品も含む。
【０００９】
製品を包装する時点で、計量スプーン形態の付属品は、包装容積内に導入されるか、又はその包装容積の外側で金属筐体に関連付けられるかのいずれかであり、例えば取付けリングの中央シール部材とオーバーキャップとの間に配置される。
【００１０】
包装を開けた後、この付属品は、所望量の製品を収集するために用いられ、その後、包装容積内に戻され、オーバーキャップが所定位置に配置される。
【００１１】
しかしながら、この収集用付属品は、必ずしも常に非常に簡単にアクセスできるわけではなく、それは特に、粉末の中に埋まっている場合、又はそれほど多くの被包装製品が残っていないために筐体の底部に置かれている場合に言えることである。
【００１２】
プラスチック材料製の包装分野では、特許文献４又は特許文献５から、収集／分配用付属品の取り外し可能な組み込みを可能にする手段を含む、成形プラスチック製の蓋構造体が公知である。しかし、これらのプラスチック構造体は、金属包装とは非常に異なっている。特に、これらは成形によって作製するために複雑な技術的手段の実施を必要とする。
【先行技術文献】
【特許文献】
【００１３】
【特許文献１】欧州特許出願公開第０  ４０８  ２６８号明細書
【特許文献２】欧州特許出願公開第１  ５９５  ８０８号明細書
【特許文献３】欧州特許出願公開第１  ８７８  ６６６号明細書
【特許文献４】仏国特許出願公開第２  ９１５  ９６９号明細書
【特許文献５】英国特許出願公開第２  ４７５  ８７２号明細書
【発明の概要】
【発明が解決しようとする課題】
【００１４】
本発明は、その使用を最適化するために、この収集用付属品へのアクセス性を助長する、主体が金属製の（又は本質的に金属製の）包装構造体を提案する。
【課題を解決するための手段】
【００１５】
従って、本発明による、嵩高の製品、例えば粉末製品の貯蔵及び流通のための包装構造体は、
−（ｉ）下部と上部とが設けられ、該上部が上部開口部を画定する、金属容器本体と、（ｉｉ）上部開口部をシールするための蓋構造体とを含む筐体形態の容器、及び
−被包装製品の一部の収集及び分配のための付属品
を備えているタイプであって、
前記蓋構造体は、
（ｉ）上部開口部を画定する容器本体の縁部に固定されるように構成された外側部分と、本体開口部に延びるように意図された環状フランジが設けられた内側部分を含む金属製取付けリングであって、該内側部分は、被包装製品へのアクセス開口部を画定する内側縁部を含む、金属製取付けリングと、
（ｉｉ）環状フランジに分離可能な方式で気密に固定された剥離可能板状体であり、被包装製品へのアクセス開口部のためのシール部材と、
（ｉｉｉ）被包装製品へのアクセス開口部をシールするために、取付けリング及びその関連付けられたシール部材の上方にて容器本体の上縁部の上に配置されることが意図された、取り外し可能なオーバーキャップと、
を備えている。
そして、本発明によれば、この包装構造体は、金属製取付けリングに対する付属品の取り外し可能な組み込みを行うための手段を備えていることを特徴とする。
【００１６】
好ましい実施形態によれば、取付けリングの環状フランジは、内側へ向かってプレートに続いており、該プレートは、円弧形状であり、被包装製品へのアクセス開口部の一部を画定する内側縁部が設けられ、該プレートは、環状フランジの平面内に又は実質的に該平面内に延びる。
【００１７】
被包装製品の収集及び分配のための付属品は、柄を含み、その一端に、製品の収集及び分配のための機能構造部分が配置されることが好都合である。好ましい実施形態によれば、この付属品は、カップ形機能構造部分が設けられた計量スプーンである。
【００１８】
特定の実施形態によれば、取り外し可能な組み込み手段は、取付けリング内に形成された少なくとも１つの開口を含み、該開口は、付属品の機能構造部分又は柄を受け入れるように構成されている。
この枠組みの中で、開口は、取付けリングの環状フランジに続くプレートに形成することができ、従って、このプレートは、付属品のカップ形機能構造部分をはめ込むことにより受け入れるように構成された、閉じた輪郭の、又はその内側縁部に出現した開口を含むことができる。代替的な実施形態において、このプレートは、付属品の柄を受け入れるように構成された少なくとも１つの開口を含むことができる。
対応する開口は、プレートを貫通し、その軸線は、プレートの平面に対して垂直に又は実質的に垂直に延びる。代替的な実施形態において、この開口は、プレートの切込み及び／又は折曲げ部分に又は該部分により形成され、その軸線がこのプレートの平面に対して平行に又は実質的に平行に延びるようになっている。
【００１９】
特定の実施形態において、プレートは、容器本体の下部の側に向かって、内側縁部に出現した、後方起立平面領域を含み、後方起立平面領域に開口が形成される。
【００２０】
上述の実施形態の幾つかに関して、収集及び分配用付属品は、取り外し可能な組み込みのために、該付属品を蓋構造体内に形成された少なくとも１つの開口に吊り下げることを可能にするように配置された吊下げ構造体を含む。
従って、この吊下げ構造体は、付属品の柄の、機能構造部分の反対側に位置する自由端に形成されることが好都合である。
【００２１】
さらに他の変形例によれば、付属品は、被包装製品へのアクセス開口部を画定する内側縁部に該付属品を吊り下げることを可能にするように配置された吊下げ構造体を含む。
従って、この吊下げ構造体は、取付けリングの環状フランジに続くプレートの内側縁部に該付属品を吊り下げることを可能にするように配置されることが好都合である。
この枠組みの中で、吊下げ構造体は、被包装製品へのアクセス開口部を画定する内側縁部に対する係合ノッチを互いの間に画定する、２つのアームの形態であることが好ましい。
【００２２】
本発明は、添付の図面との関連で、例示のみの目的で与えられる以下の幾つかの可能な実施形態の説明により、いかなる意味でも制限されることなくさらに例証される。
【図面の簡単な説明】
【００２３】
【図１】筐体形態の容器で構成され、蓋構造体が、オーバーキャップに関連付けられた、剥離可能板状体の形態のシール部材を伴う取付けリングを含み、被包装製品の収集／分配のための、吊下げ構造体を含む付属品が設けられた、本発明による包装構造体の第１の実施形態の概略的かつ全体的な斜視図である。
【図２】最初に開ける際の剥離可能板状体が剥離されている途中である、図１の包装構造体の蓋構造体の取付けリングの斜視図である。
【図３】アクセス性を助長するように、図１及び図２の包装構造体の取付けリングの受け開口に吊り下げられた収集／分配用付属品を示す、部分斜視図である。
【図４】付属品吊下げ手段の可能な代替的な実施形態を示す部分略図である。
【図５】付属品吊下げ手段の構造の別の可能性を示す部分略図である。
【図６】付属品吊下げ手段の構造の別の可能性を示す、さらなる部分略図である。
【図７】図６の断面７−７による断面図である。
【図８】図６及び図７に示す実施形態の代替例を示す、上から見た図である。
【図９】付属品吊下げ手段の構造の別の可能性を示す、さらなる部分断面図である。
【発明を実施するための形態】
【００２４】
図１に示すような本発明による包装構造体１は、粉末製品、例えばミルク粉末又は粉末コーヒーの包装に特に適合しているが、他の任意の嵩高の製品、さらには液体又は半流動体の包装に用いることができる。
【００２５】
この包装構造体１は、その目的で、好都合には金属製の（図１において点線で単純に図式化される）管状の本体３を含む、筐体形態の容器２を含み、該本体の下部４は、図示されていない底部構造体（一体の、又は付加された）でシールされ、その上部５は、蓋構造体７でシールされる上部開口部６を画定する。
【００２６】
容器本体３は、様々な構成、寸法及び断面とすることができる側壁を含む。
【００２７】
蓋構造体７は、特に、円形断面の容器本体３に付加されるように構成される。この蓋構造体７は、楕円形、正方形、矩形、長円形など、別の形状／断面を有する本体に取り付けるように構成することもでき、そのとき、その全般的な形状をそれに応じて適合させることができる。
【００２８】
この容器本体３の構成材料、及びその製造方法は、当業者によって選択することができる。
例えば、容器本体は、包装される製品に応じて選択される、金属、特に鋼又はアルミニウムで作られる。
【００２９】
同様に、底部構造体４の構成材料及びその製造方法、並びに容器本体３へのその取り付けは、当業者によって選択することができる。
【００３０】
蓋構造体７は、本明細書では、剥離可能板状体９に関連付けられる取付けリング８と、オーバーキャップ１０とで、形成される。
【００３１】
加えて、包装構造体１は、包装された粉末製品の一部の収集及び分配のための付属品１１をさらに含み、該付属品は、本明細書では、例えばプラスチック製の計量スプーンの形態であり、付属品１１を蓋構造体７に取り外し可能に組み込むための手段が設けられ、該手段は、本明細書では、収集／分配用付属品１１の吊り下げを可能にする、取付けリング８上に形成された少なくとも１つの開口の形態であり、該付属品は、その目的のために、適合されたフック構造体を含む。
【００３２】
本明細書では、収集／分配用スプーン１１は、柄１３に続くカップ形機能構造部分１２で構成され、柄の自由端は、フック構造体１４（特に「吊下げ構造体」とも呼ばれる）の形態の返し部を含み、このフック構造体１４は、以下に詳細に説明するように、本明細書では取付けリング８内に形成された開口１５の上／中に吊り下げるように構成される。
【００３３】
フック構造体１４は、本明細書では、例えば、カップ１２に向かって開いた略Ｕ形を有する。
【００３４】
蓋構造体７は、容器本体３の上端５に付加されるように構成される。
これは、図２にも示すように、上部開口部６を画定する本体３の上縁部の上に、任意の適切な技術、例えばシーミングにより固定される、剥離可能板状体９に関連付けられた取付けリング８と、オーバーキャップ１０とを含む。
【００３５】
好都合には、取付けリング８は、金属部品であり、例えば、鋼又はアルミニウムで作られる。
このリング８の形状及びサイズは、それが取り付けられる容器本体３の断面に応じて適合される。
本明細書では、このリング８は、概して環状又は円形の形状を有する。
【００３６】
特に図２（板状体９は剥離されている途中である）に示すように、リング８は、
−容器本体３の自由縁部に、例えばシーミングにより、機械的に締結されるように構成された外側周囲環状部分１６と、
−容器本体３の開口部６まで延びるように意図された内側部分１７と、
を含む。
【００３７】
内側部分１７は、本明細書では平面環状フランジ１８で構成され、その周囲の一部に、直線状内側縁部２０まで延びる円弧形状のプレート１９が設けられる。
内側縁部２０は、本明細書ではプレート１９の厚さに対応する厚さを有する。一般に、この縁部２０は、特にユーザがこの包装構造体１を扱うときに切り傷を作らないようにするために、丸められた自由縁部で構成され、従って、この縁部２０はより大きな厚さを有する。
【００３８】
この内側部分１７は、被包装製品へのアクセスを可能にする中央開口部２２を定める、内側縁部２１で画定される。この内側縁部２１は、本明細書では、一部はプレート１９の内側縁部２０で構成され、別の部分は、円の一部分の形態の、環状フランジ１８の自由内側縁部２３で構成される。
【００３９】
プレート１９は、本明細書では、リング８と一体形成された、概して円弧形状の平面要素である。これは環状フランジ１８の平面内に延びる。被包装製品へのアクセスのための中央開口部２２は、本明細書では概して部分的に切り取られた円板形状を有する。
【００４０】
プレート１９の内側自由縁部２０は、計量スプーン１１のカップ１２内に収集された製品の量のすり切りのために用いることができる。
【００４１】
スプーン１１をその吊下げ構造体１４によって吊り下げることを可能にするように構成された開口１５は、プレート１９の内側自由縁部２０の近くに形成される。
【００４２】
この開口１５の貫通軸線は、プレート１９の平面に対して垂直に延びる。
【００４３】
開口１５は、本明細書では矩形又は実質的に矩形の断面の細長い形状を有し、その長軸は、内側縁部２０と平行に延びており、好都合にはこの内側縁部の中心に配置される。
【００４４】
しかしながら、開口１５は、他の任意の形状及び／又は位置とすることができる。
【００４５】
開口１５の長さ及び幅は、吊り下げ性を最適にするために付属品１１のフック構造体１４の幅及び厚さよりも僅かに大きくなっている。
【００４６】
図１及び図２に示される剥離可能板状体９は、例えば特許文献３に記載されているタイプのものである。
【００４７】
また、剥離可能板状体９は、「蓋状部（ｏｐｅｒｃｕｌｕｍ）」とも呼ばれ、好都合には接合／溶接タイプの連結（例えば熱溶接技術）により、リング８に気密に固定される。剥離可能板状体９は、開口１５を有するプレート１９及び中央開口部２２を覆う。
【００４８】
この板状体９は、本明細書ではその外側周囲縁部でリング８の環状フランジ１８の上面に固定される。
【００４９】
また、剥離可能板状体９は、周囲縁部において、反対方向に折り曲げられて上面に当接するタブ２５を含む（図１）。別の実施形態によれば、この板状体９に、適切に配置された複数のタブ２５（少なくとも２つ）を設けることができる。
このタブ２５の機能は、リング８に対して、ユーザによる板状体９の剥離を容易にすることである。
【００５０】
このタブ２５は、好都合には、板状体９と一体形成され、材料の延長部である。
代替例として、タブ２５は、板状体９に直接又は間接的に付加することができる（従って、板状体９は、少なくとも２つの部品の組立体として得られる）。
【００５１】
板状体９は、本明細書では、タブ２５がプレート１９及び開口１５に対して直径方向の反対側に延びるように、リング８上に付加されている。
【００５２】
その部分に関して、オーバーキャップ１０は、好都合にはプラスチック材料で作られる。オーバーキャップ１０は、取り外し可能な、好ましくは気密方式で、容器本体３の上部を覆うように構成され、特にリング８及び製品へのアクセス開口部２２を完全に覆うように構成される。容器本体３に対するその係合構造は、適宜、適合される。
【００５３】
実際には、リング８及び剥離可能板状体９は、当業者には公知の技術によって互いに独立に作られ、その後、第１の製造現場で、例えば熱溶接技術により組み付けられる。
【００５４】
得られたユニット８−９は、容易に保管して包装現場に輸送することができ、その包装現場で、製品で満たした後の容器３の本体に取り付けられる。
次にオーバーキャップがこのリング８／板状体９ユニットの上に係合される。
【００５５】
収集／分配用スプーン１１は、被包装製品と共に包装容積内に置かれ（可能であればプラスチック材料製の小袋の中に包装される）、又は、利用可能な空間が十分であれば、板状体９とオーバーキャップ１０との間に配置され、又は他の任意の適切な手段で容器本体３に関連付けられる。
【００５６】
オーバーキャップ１０及び剥離可能板状体９の除去（そのタブ２５に及ぼされる引っ張り動作による）により、一旦、包装構造体１が開けられると、被包装製品は、アクセス可能になり、付属品スプーン１１によって収集することができる。
【００５７】
収集の後、図３に示すように、スプーン１１は、フック構造体１４及びプレート１９の吊り下げ用開口１５によってプレート１９に吊り下げられ（又は引っ掛けられ）、その後の使用時にスプーンを把持することが容易になる。
【００５８】
特に、フック構造体１４は、吊り下げ用開口１５と直線状内側縁部２０との間の帯状の材料を覆う。
【００５９】
次にオーバーキャップ１０を適切に取り付けて、ユニットを密封することができる。
【００６０】
代替例として、取付けリング８に関連付けられた、被包装製品へのアクセス開口部のためのシール部材は、プルタブを備え、環状フランジ１８の内側に向かって続き、該環状フランジから切り込み線によって分離される、一体シールで構成することができる。
この場合、収集／分配用付属品１１の吊り下げのための開口１５は、最初に開封するまで包装容積の密閉性を確保する任意の除去可能な手段によってシールされることになる（例えば、除去可能に結合された密閉膜体）。
【００６１】
図４から図８に、蓋構造体の環状フランジに続くプレートの代替的な実施形態を示す。
【００６２】
簡略化のために、これらの図には、当該プレートのみを計量スプーン形態の付属品１１と共に示し、包装構造体の残りの部分は、図１から図３に示す実施形態に対応するものとすることができる。
さらに、理解を容易にするために、図１から図３の実施形態と同一又は類似の部分は、同じ参照符号を保持するものとする。
【００６３】
図４に示す実施形態において、プレート１９は、容器本体の下部側に向かう後方起立平面領域２６を含み、その中に開口１５が形成される。
この後方起立平面領域２６は、プレート１９の全体平面に平行な下に横たわる平面内に、例えば数ミリメートルだけオフセットした平面内に広がる。
これは内側縁部２０に出現し、概して円板の一部の形状を有することができる。
開口１５の軸線は、領域２６の平面に対して、及びプレート１９の平面に対して垂直に延びる。
この後方起立平面領域２６は、取付けリング８の製造中にエンボス加工することによって得ることができる。
これにより、付属品１１のフック構造体１４の厚さの少なくとも一部を取り込むことが可能になり、オーバーキャップを所定位置に配置することを妨げ易い、このフック構造体１４がプレート１９の平面の上方へ突出すること又は過度に著しく突出することを回避するようになっている。
【００６４】
別の実施形態において、複数の開口１５は、後方起立平面領域２６内に形成することができ、より一般的にはプレート１９上に形成することができる。
【００６５】
フック構造体１４の形状に応じて任意の形状の開口１５を考えることができる。
【００６６】
図５に示す実施形態において、開口１５は、プレート１９に切り込みを入れて折り曲げた材料部分２７によって形成することができる。
この材料部分２７は、その軸線がプレート１９の平面に対して平行に又は実質的に平行に延びる開口１５を定める一種の突出タブ又はブリッジを形成する。
開口１５の断面は、図５に示すように、付属品１１の柄１３の自由端１３’の挿入及び保持を可能にするようになっている。
本明細書では、柄１３の、カップ形機能構造部分１２の反対側に位置する自由端１３’は、真っ直ぐであり、フック構造体がない。
従って、付属品１１の柄１３はプレート１９の平面に対して平行に延び、開口１５の僅かな締付けによって保持され、非常に簡単に取り外すこと及び所定位置に戻すことができる（平行移動により）。
好ましくは、カップ１２は、容器本体の下部に向かって方向付けられる。
別の実施形態において、タブ材料２７は、プレート１９の平面の上方への突出を避けるために、又は過度に著しい突出を避けるために、図４に示すような後方起立平面領域内に形成することができる。
【００６７】
図６及び図７に示す実施形態において、プレート１９は、付属品１１の機能構造部分１２を取り外し可能に収容して保持するようになった開口１５を含む。
本明細書では、開口１５は、付属品１１の円形カップ１２を収容するように構成された略円形形状を有する。従って、柄１３は、被包装製品へのアクセス開口部２２の直ぐ上方にてプレート１９の平面に対して平行に延びる。
必要であれば、カップ１２の上縁部に、該カップが開口１５の縁部の上で正しく保持されることを保証するために、僅かな周縁部が設けられる。
【００６８】
図６及び図７において、開口１５は、プレート１９の本体部（ｖｏｌｕｍｅ）に一体形成される。
【００６９】
図８は別の実施形態を示し、開口１５は、単に部分的にプレート１９の嵩部に形成され、その内側縁部２０に出現する。付属品をはめ込んで保持することを保証するために、円形開口１５の断面は、半円板よりも大きい。
ここでも同様に、必要であれば、カップ１２の上縁部に、該カップが開口１５の縁部の上に正しく保持されることを保証するために、僅かな周縁部が設けられる。
【００７０】
図９は、プレート１９が従来構造のものであって、収集／分配用付属品１１に、プレート１９の内側縁部２０に取り外し可能に固定することを可能にする手段２８が設けられた実施形態を示す断面図である。
本明細書では、付属品１１の柄１３の自由端（カップ１２の反対側）は、互いの間に係合ノッチ３１（好都合には「クリッピング」とも呼ばれる弾性係合を保証する）を画定する２つの平行なアーム２９及び３０の形態の吊下げ構造体２８を含む。
係合ノッチ３１は、付属品１１を僅かな力で単に挿入することによって、プレート１９の内側縁部２０に自在に吊り下げること、並びにその取り外しを可能にする。本明細書では、プレート１９の内側縁部２０は、係合ノッチ３１が所定位置になる端部ロール３２を含むことが観察される。
【００７１】
同一又は類似の吊下げ構造体２８を、被包装製品へのアクセス開口部２２を画定する縁部２１の任意の場所に付属品１１を吊り下げることを保証するように設けることができることに留意されたい。
【００７２】
この実施形態は、既知の蓋構造体の変更を必要としないので注目に値する。
【００７３】
別の代替例として、図６から図９に示した組み立て様式は、付属品１１がプレート１９の平面の上方へ突出することを回避する、又は過度に著しく突出することを回避するために、図４に示すような後方起立平面領域を備えることを想定することができる。
【００７４】
他の可能な代替例において、１又は複数の付属品１１の吊り下げを可能にするために複数の開口１５を設けることができる。
さらに、開口１５は、他の場所に形成することができ、例えば、環状フランジの円形部分に、又はリング８から容器の底部に向かって垂直に又は所定の角度で延びるタブに形成することができる。
【符号の説明】
【００７５】
１：包装構造体
２：容器
３：容器本体
４：下部
５：上部
６：上部開口部
７：蓋構造体
８：取付けリング
９：剥離可能板状体
１０：オーバーキャップ
１１：付属品
１２：機能構造部分
１３：柄
１３’：柄の自由端
１４、２８：吊下げ構造体
１５：開口
１６：外側部分
１７：内側部分
１８：環状フランジ
１９：プレート
２０、２１：内側縁部
２２：アクセス開口部
２５：タブ
２６：後方起立平面領域
２７：切込み／折曲げ部分
２９、３０：アーム
３１：係合ノッチ
【図１】
2016527153.tif 000003
【図２】
2016527153.tif 000004
【図３】
2016527153.tif 000005
【図４】
2016527153.tif 000006
【図５】
2016527153.tif 000007
【図６】
2016527153.tif 000008
【図７】
2016527153.tif 000009
【図８】
2016527153.tif 000010
【図９】
2016527153.tif 000011
【国際調査報告】
2016527153.tif 000012
2016527153.tif 000013
2016527153.tif 000014
2016527153.tif 000015